(57)【特許請求の範囲】
【請求項１】
身体の所定部位を圧迫する圧力印加手段と、
前記圧力印加手段により身体に与えられる圧迫圧力を検出する圧力検出手段と、
前記圧迫圧力を変化させる圧力制御手段と、
前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、
対応付けられた前記脈波情報および前記圧迫圧力を用いて最高血圧および最低血圧の少なくとも一方を含む血圧情報、および、血圧以外の循環動態指標である血管硬さ情報を算出する算出手段と、
血圧を示す第１の座標軸、および、血管硬さ情報を示す第２の座標軸を有する表示領域に前記血圧情報および前記血管硬さ情報により規定される位置を表示する表示手段とを備え、
前記算出手段は、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する
循環動態測定装置。
【請求項２】
身体の所定部位を圧迫する圧力印加手段と、
前記圧力印加手段により身体に与えられる圧迫圧力を検出する圧力検出手段と、
前記圧迫圧力を変化させる圧力制御手段と、
前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、
対応付けられた前記脈波情報および前記圧迫圧力を用いて最高血圧および最低血圧の少なくとも一方を含む血圧情報、および、血圧以外の循環動態指標である血管硬さ情報を算出する算出手段と、
血圧を示す第１の座標軸、および、血管硬さ情報を示す第２の座標軸を有する表示領域に前記血圧情報および前記血管硬さ情報により規定される位置を表示する表示手段とを備え、
前記算出手段は、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する
循環動態測定装置。
【請求項３】
身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、
血圧を示す第１の座標軸、および、血管硬さ情報を示す第２の座標軸を有する表示領域に前記血圧情報および前記血管硬さ情報により規定される位置を表示手段に表示させる
循環動態測定装置であって、
対応する前記圧迫圧力の順番に従って前記脈波情報を累積加算した値である累積加算脈波を算出し、その累積加算脈波を対応する前記圧迫圧力の順番に従って並べることにより特性線を特定し、
予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する
循環動態測定装置。
【請求項４】
身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、
血圧を示す第１の座標軸、および、血管硬さ情報を示す第２の座標軸を有する表示領域に前記血圧情報および前記血管硬さ情報により規定される位置を表示手段に表示させる
循環動態測定装置であって、
対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、
予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する
循環動態測定装置。
【請求項５】
前記血圧および前記血管硬さ情報とは異なる循環動態指標を算出する循環動態指標演算部をさらに備え、
前記循環動態指標に応じて前記血圧情報および前記血管硬さ情報により規定される位置の表示態様を変化させる
請求項１〜４のいずれか一項に記載の循環動態測定装置。
【請求項６】
身体の所定部位を圧迫する圧力印加手段と、
前記圧力印加手段により身体に与えられる圧迫圧力を検出する圧力検出手段と、
前記圧迫圧力を変化させる圧力制御手段と、
前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、
対応付けられた前記脈波情報および前記圧迫圧力を用いて最高血圧および最低血圧の少なくとも一方を含む血圧情報、および、血圧以外の循環動態指標である血管硬さ情報を算出する算出手段と、
前記血圧情報により示される血圧が基準値を超えているか否かを判定し、前記血管硬さ情報により示される血管硬さが基準値を超えているか否かを判定し、これらの判定結果に基づいて循環動態の状態を判定する判定手段と、
前記判定手段の判定結果を表示する表示手段とを備え、
前記算出手段は、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する
循環動態測定装置。
【請求項７】
身体の所定部位を圧迫する圧力印加手段と、
前記圧力印加手段により身体に与えられる圧迫圧力を検出する圧力検出手段と、
前記圧迫圧力を変化させる圧力制御手段と、
前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、
対応付けられた前記脈波情報および前記圧迫圧力を用いて最高血圧および最低血圧の少なくとも一方を含む血圧情報、および、血圧以外の循環動態指標である血管硬さ情報を算出する算出手段と、
前記血圧情報により示される血圧が基準値を超えているか否かを判定し、前記血管硬さ情報により示される血管硬さが基準値を超えているか否かを判定し、これらの判定結果に基づいて循環動態の状態を判定する判定手段と、
前記判定手段の判定結果を表示する表示手段とを備え、
前記算出手段は、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する
循環動態測定装置。
【請求項８】
身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、
前記血圧情報により示される血圧が基準値を超えているか否かを判定し、前記血管硬さ情報により示される血管硬さが基準値を超えているか否かを判定し、これらの判定結果に基づいて循環動態の状態を判定し、その結果を表示手段に表示させる
循環動態測定装置であって、
対応する前記圧迫圧力の順番に従って前記脈波情報を累積加算した値である累積加算脈波を算出し、その累積加算脈波を対応する前記圧迫圧力の順番に従って並べることにより特性線を特定し、
予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する
循環動態測定装置。
【請求項９】
身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、
前記血圧情報により示される血圧が基準値を超えているか否かを判定し、前記血管硬さ情報により示される血管硬さが基準値を超えているか否かを判定し、これらの判定結果に基づいて循環動態の状態を判定し、その結果を表示手段に表示させる
循環動態測定装置であって、
対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、
予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する
循環動態測定装置。
【請求項１０】
前記循環動態の状態に関する判定結果に応じた表示画像を前記表示手段に表示させる
請求項６〜９のいずれか一項に記載の循環動態測定装置。
【請求項１１】
前記血圧の基準値および前記血管硬さ情報の基準値を前記表示手段に表示させることにより表示領域を複数の領域に分割する
請求項６〜１０のいずれか一項に記載の循環動態測定装置。
【請求項１２】
前記血圧の基準値および前記血管硬さ情報の基準値を身体情報に基づいて設定する
請求項６〜１１のいずれか一項に記載の循環動態測定装置。
【請求項１３】
現在の測定結果および過去の測定結果を前記表示手段に表示させる
請求項１〜１２のいずれか一項に記載の循環動態測定装置。
【請求項１４】
前記血管硬さ情報を血圧に基づいて補正する
請求項１〜１３のいずれか一項に記載の循環動態測定装置。
【請求項１５】
前記血管硬さ情報を身体情報に基づいて補正する
請求項１〜１４のいずれか一項に記載の循環動態測定装置。
【請求項１６】
前記血管硬さ情報を性別に基づいて補正する
請求項１〜１５のいずれか一項に記載の循環動態測定装置。
【発明の詳細な説明】
【技術分野】
【０００１】
本発明は、生体から得られる脈波に基づいて生体の状態を測定する循環動態測定装置に関するものである。
【背景技術】
【０００２】
近年、生活習慣病が増加している。生活習慣病は身体の心臓、血管などの循環動態に大きく関与している。そこで、現在病院などでは、動脈硬化診断の一方法として、両腕、両足にカフを装着し、所定の圧力で一定時間保持することにより脈波を検出すると共に、２箇所の脈波伝播時間と距離から脈波伝播速度ＰＷＶを求めて循環動態としての血管硬さ機能を計測する方法（特許文献１）や、脈波伝播速度ＰＷＶよりも血圧に依存しにくいＣＡＶＩを求めて血管硬さ機能を計測する方法（特許文献２）などが採用されている。しかしながら、これらの検査方法では、いずれも四肢を拘束し、被測定者をベッドに寝かせて測定する必要があるため、被測定者に負担がかかっていた。また、装置も高額であるため、一般家庭では使用しにくかった。
【０００３】
そこで、一般家庭で使用するための方法、具体的には上腕で血圧を測定する間に得られる脈波情報から血管硬さ機能を測定する技術が考えられた（例えば、特許文献３〜５参照）。特許文献３について説明すると、圧迫圧力を所定の目標圧迫圧力まで昇圧した後、その圧迫圧力を緩やかに減圧させる過程で脈波の振幅値を逐次検出し、圧迫圧力と脈波の振幅値の関係を導出する。なお、この圧迫圧力と脈波の振幅値との関係は、圧迫圧力が平均血圧値と略一致するときに脈波の振幅値が最大となる包絡線を描くことが分かっている。そして、この包絡線において最高血圧値に対応する点と最大振幅値の６３．２％の振幅値をとる点とを結ぶ直線の傾斜角度θを１つ導出し、この傾斜角度θの大小に応じて被測定者の動脈硬化度を決定する技術が開示されている。
【０００４】
また、特許文献４では、カフ圧に脈波振幅成分が重畳されている信号を時間微分し、心拍毎の最大値をプロットすることで包絡線を構成し、時間微分信号の値に対応する圧力幅を用いることで被測定者の動脈硬化度を決定する技術が開示されている。
【０００５】
また、特許文献５では、脈波の振幅値を圧迫圧力に対してプロットすることで包絡線を構成し、振幅値の最大値を基準に圧迫圧力を高圧側と低圧側に分割し、所定の振幅値における高圧側及び低圧側の圧力幅を複数用いることで被測定者の動脈硬化度を決定する技術が開示されている。
【０００６】
なお、脈波の振幅値と圧迫圧力との関係が包絡線を描くのは、血管に加わる圧力と外から加わる圧力との差、いわゆる血管内外圧差が大きい領域では血管容積の変化は小さく、血管内外圧差が０の付近で血管容積の変化が大きい関係にあるためである。これは血管の圧容積曲線として知られており、圧容積曲線の傾きは血管の硬さを表す指標である。
【先行技術文献】
【特許文献】
【０００７】
【特許文献１】特開２００３−１２６０５４号公報
【特許文献２】特開２００６−６８９３号公報
【特許文献３】特許２９３８２３８号公報
【特許文献４】特開２００１−１０４２５８号公報
【特許文献５】特開２００５−２７８７０８号公報
【発明の概要】
【発明が解決しようとする課題】
【０００８】
しかしながらこれまで自動電子血圧計など家庭で簡便に測定できる装置において血圧と血管硬さ情報はそれぞれ独立して表示されていた。血圧については最高血圧と最低血圧とを二次元グラフに表示する方法はあったが、血圧と血管硬さ情報との関係を視覚的に容易にかつ正確に判断できる方法を搭載した装置はなかった。
【０００９】
つまり、血圧は心臓のポンプ機能を表し、血管硬さは血管の伸展性にかかわる機能であり、この二つの指標はそれぞれ意味が異なる指標である。しかしながら、これまでの測定装置では、血圧と血管硬さ情報が示されるだけで、病院など専門家がいる場所ではともかく、家庭で使用する場合には、どのように指標の意味を解釈すればよいかわかりにくいという問題があった。
【００１０】
この発明は、このような従来の技術に存在する問題点に着目してなされたものである。その目的は、血圧と循環動態との関係を視覚的に容易にかつ正確に判断できる循環動態測定装置を提供することにある。
【課題を解決するための手段】
【００１１】
本発明に従う循環動態測定装置の一形態は、身体の所定部位を圧迫する圧力印加手段と、前記圧力印加手段により身体に与えられる圧迫圧力を検出する圧力検出手段と、前記圧迫圧力を変化させる圧力制御手段と、前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、対応付けられた前記脈波情報および前記圧迫圧力を用いて最高血圧および最低血圧の少なくとも一方を含む血圧情報、および、血圧以外の循環動態指標である血管硬さ情報を算出する算出手段と、血圧を示す第１の座標軸、および、血管硬さ情報を示す第２の座標軸を有する表示領域に前記血圧情報および前記血管硬さ情報により規定される位置を表示する表示手段とを備え、前記算出手段は、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する。
【発明の効果】
【００２１】
本発明によれば、血圧と循環動態との関係を視覚的に容易にかつ正確に判断できる。
【図面の簡単な説明】
【００２２】
【図１】は第１実施形態の循環器機能測定装置のブロック図である。
【図２】は上腕動脈に与えられる圧迫圧力の変化を示すグラフである。
【図３】は圧迫圧力および検出脈波から得られる包絡線を示すグラフである。
【図４】は累積加算脈波の算出に関するグラフである（ａ：加算前、ｂ：加算後）。
【図５】は圧迫圧力および累積加算脈波から得られる特性線を示すグラフである。
【図６】は圧迫圧力と累積加算脈波比率との関係を示すグラフである。
【図７】は圧迫圧力と累積加算脈波比率との関係を示すグラフである。
【図８】は図１の表示部の表示領域を示す模式図である。
【図９】は第２実施形態の表示部の表示領域を示す模式図である。
【図１０】は第３実施形態の表示部の表示領域を示す模式図である。
【図１１】は第４実施形態の表示部の表示領域を示す模式図である。
【図１２】は第５実施形態の表示部の表示領域を示す模式図である。
【図１３】は変形例の表示部の表示領域を示す模式図である。
【図１４】は包絡線を示すグラフである（ａ：軟らかい血管、ｂ：硬い血管）。
【図１５】は第７実施形態の表示部の表示領域を示す模式図である。
【図１６】は特性線を示すグラフである（ａ：軟らかい血管、ｂ：硬い血管）。
【図１７】は第８実施形態の表示部の表示領域を示す模式図である。
【図１８】は特性線を示すグラフである（ａ：軟らかい血管、ｂ：硬い血管）。
【図１９】は第９実施形態の表示部の表示領域を示す模式図である。
【図２０】は図１９の表示部に関する別の表示形態を示す模式図である。
【図２１】は第１０実施形態の循環器機能測定装置のブロック図である。
【図２２】は図２１の表示部の表示領域を示す模式図である。
【図２３】は変形例の表示部の表示領域を示す模式図である。
【図２４】は変形例の表示部の表示領域を示す模式図である。
【図２５】は変形例の表示部の表示領域を示す模式図である。
【発明を実施するための形態】
【００２３】
（循環動態測定装置が取り得る形態の一例）
〔１〕本発明に従う循環動態測定装置の第１の形態は、身体の所定部位を圧迫する圧力印加手段と、前記圧力印加手段により身体に与えられる圧迫圧力を検出する圧力検出手段と、前記圧迫圧力を変化させる圧力制御手段と、前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、対応付けられた前記脈波情報および前記圧迫圧力を用いて最高血圧および最低血圧の少なくとも一方を含む血圧情報、および、血圧以外の循環動態指標である血管硬さ情報を算出する算出手段と、血圧を示す第１の座標軸、および、血管硬さ情報を示す第２の座標軸を有する表示領域に前記血圧情報および前記血管硬さ情報により規定される位置を表示する表示手段とを備え、前記算出手段は、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する。
〔２〕本発明に従う循環動態測定装置の第２の形態は、身体の所定部位を圧迫する圧力印加手段と、前記圧力印加手段により身体に与えられる圧迫圧力を検出する圧力検出手段と、前記圧迫圧力を変化させる圧力制御手段と、前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、対応付けられた前記脈波情報および前記圧迫圧力を用いて最高血圧および最低血圧の少なくとも一方を含む血圧情報、および、血圧以外の循環動態指標である血管硬さ情報を算出する算出手段と、血圧を示す第１の座標軸、および、血管硬さ情報を示す第２の座標軸を有する表示領域に前記血圧情報および前記血管硬さ情報により規定される位置を表示する表示手段とを備え、前記算出手段は、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する。
〔３〕本発明に従う循環動態測定装置の第３の形態は、身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、血圧を示す第１の座標軸、および、血管硬さ情報を示す第２の座標軸を有する表示領域に前記血圧情報および前記血管硬さ情報により規定される位置を表示手段に表示させる循環動態測定装置であって、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する。
〔４〕本発明に従う循環動態測定装置の第４の形態は、身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、血圧を示す第１の座標軸、および、血管硬さ情報を示す第２の座標軸を有する表示領域に前記血圧情報および前記血管硬さ情報により規定される位置を表示手段に表示させる循環動態測定装置であって、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する。
〔５〕前記循環動態測定装置の一例は、前記血圧および前記血管硬さ情報とは異なる循環動態指標を算出する循環動態指標演算部をさらに備え、前記循環動態指標に応じて前記血圧情報および前記血管硬さ情報により規定される位置の表示態様を変化させる。
〔６〕本発明に従う循環動態測定装置の第５の形態は、身体の所定部位を圧迫する圧力印加手段と、前記圧力印加手段により身体に与えられる圧迫圧力を検出する圧力検出手段と、前記圧迫圧力を変化させる圧力制御手段と、前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、対応付けられた前記脈波情報および前記圧迫圧力を用いて最高血圧および最低血圧の少なくとも一方を含む血圧情報、および、血圧以外の循環動態指標である血管硬さ情報を算出する算出手段と、前記血圧情報により示される血圧が基準値を超えているか否かを判定し、前記血管硬さ情報により示される血管硬さが基準値を超えているか否かを判定し、これらの判定結果に基づいて循環動態の状態を判定する判定手段と、前記判定手段の判定結果を表示する表示手段とを備え、前記算出手段は、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する。
〔７〕本発明に従う循環動態測定装置の第６の形態は、身体の所定部位を圧迫する圧力印加手段と、前記圧力印加手段により身体に与えられる圧迫圧力を検出する圧力検出手段と、前記圧迫圧力を変化させる圧力制御手段と、前記圧迫圧力が変化する過程において前記圧力検出手段により検出される前記圧迫圧力に基づいて、前記所定部位に生じる脈波の大きさに関する脈波情報とそのときの前記圧迫圧力とを対応付けて記憶する記憶手段と、対応付けられた前記脈波情報および前記圧迫圧力を用いて最高血圧および最低血圧の少なくとも一方を含む血圧情報、および、血圧以外の循環動態指標である血管硬さ情報を算出する算出手段と、前記血圧情報により示される血圧が基準値を超えているか否かを判定し、前記血管硬さ情報により示される血管硬さが基準値を超えているか否かを判定し、これらの判定結果に基づいて循環動態の状態を判定する判定手段と、前記判定手段の判定結果を表示する表示手段とを備え、前記算出手段は、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する。
〔８〕本発明に従う循環動態測定装置の第７の形態は、身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、前記血圧情報により示される血圧が基準値を超えているか否かを判定し、前記血管硬さ情報により示される血管硬さが基準値を超えているか否かを判定し、これらの判定結果に基づいて循環動態の状態を判定し、その結果を表示手段に表示させる循環動態測定装置であって、対応する前記圧迫圧力の順番に従って前記脈波情報を累積加算した値である累積加算脈波を算出し、その累積加算脈波を対応する前記圧迫圧力の順番に従って並べることにより特性線を特定し、予め決められた第１の圧迫圧力に対応する前記特性線上の前記累積加算脈波と、予め決められた第２の圧迫圧力に対応する前記特性線上の前記累積加算脈波との比率である第１の比率と、予め決められた第１の累積加算脈波に対応する前記特性線上の前記圧迫圧力と、予め決められた第２の累積加算脈波に対応する前記特性線上の前記圧迫圧力との比率である第２の比率との少なくとも一方に基づいて前記血管硬さ情報を算出する。
〔９〕本発明に従う循環動態測定装置の第８の形態は、身体に与えられる圧力である圧迫圧力を検出する圧力検出手段から前記圧迫圧力の検出結果を取得し、前記圧迫圧力が変化する過程において前記圧力検出手段により検出される前記圧迫圧力に基づいて脈波の大きさに関する情報である脈波情報と前記圧迫圧力とを対応付けて検出する脈波検出部から前記脈波情報および前記圧迫圧力を取得し、その脈波情報および圧迫圧力に基づいて最高血圧および最低血圧の少なくとも一方を含む血圧情報、ならびに、前記血圧情報以外の循環動態指標である血管硬さ情報を算出し、前記血圧情報により示される血圧が基準値を超えているか否かを判定し、前記血管硬さ情報により示される血管硬さが基準値を超えているか否かを判定し、これらの判定結果に基づいて循環動態の状態を判定し、その結果を表示手段に表示させる循環動態測定装置であって、対応する前記圧迫圧力の順番に従って前記脈波情報を累積加算した値である第１の累積加算脈波、および、全ての前記脈波情報を累積加算した値である第２の累積加算脈波を算出し、前記第１の累積加算脈波を前記第２の累積加算脈波により除算した値である累積加算脈波比率を算出し、その累積加算脈波比率を対応する前記圧迫圧力の順番に従って並べることにより特性線を特定し、予め決められた第１の圧迫圧力に対応する前記特性線上の前記累積加算脈波比率と、予め決められた第２の圧迫圧力に対応する前記特性線上の前記累積加算脈波比率との比率である第１の比率と、予め決められた第１の累積加算脈波比率に対応する前記特性線上の前記圧迫圧力と、予め決められた第２の累積加算脈波比率に対応する前記特性線上の前記圧迫圧力との比率である第２の比率との少なくとも一方に基づいて前記血管硬さ情報を算出する。
〔１０〕前記循環動態測定装置の一例は前記循環動態の状態に関する判定結果に応じた表示画像を前記表示手段に表示させる。
〔１１〕前記循環動態測定装置の一例は前記血圧の基準値および前記血管硬さ情報の基準値を前記表示手段に表示させることにより表示領域を複数の領域に分割する。
〔１２〕前記循環動態測定装置の一例は前記血圧の基準値および前記血管硬さ情報の基準値を身体情報に基づいて設定する。
〔１３〕前記循環動態測定装置の一例は現在の測定結果および過去の測定結果を前記表示手段に表示させる。
〔１４〕前記循環動態測定装置の一例は前記血管硬さ情報を血圧に基づいて補正する。
〔１５〕前記循環動態測定装置の一例は前記血管硬さ情報を身体情報に基づいて補正する。
〔１６〕前記循環動態測定装置の一例は前記血管硬さ情報を性別に基づいて補正する。
【００２４】
（第１実施形態）
以下、本発明の循環動態測定装置を具体化した第１実施形態について図面を参照しながら説明する。
図１に示すように、循環動態測定装置１０は、被測定者における血圧値及び循環動態の一種である血管硬さを測定する際に、その被測定者の身体の一部である上腕部に巻回し状態で装着されるカフ１１を有している。カフ１１はゴム製であるとともに袋状をなし、被測定者の上腕部に装着された状態において内部の気圧（圧迫圧力）が変化することで、被測定者の上腕部（上腕動脈）を圧迫する圧迫部として機能する。
【００２５】
このカフ１１は、カフ１１の内部で発生する圧迫圧力を変化させる圧力制御部１２にチューブ１１ａを介して接続されている。圧力制御部１２は、カフ１１にチューブ１１ａを介して気体を圧送可能な加圧ポンプ（図示略）及びカフ１１から気体を排出する際に開弁される排気弁（図示略）を有し、その加圧ポンプ及び排気弁の駆動を制御することで、カフ１１に対して加減圧を行い、カフ１１の圧迫圧力を変化させる。
【００２６】
また、カフ１１は、カフ１１による圧迫圧力を検出する圧力検出部１３にチューブ１１ｂを介して接続され、その圧力検出部１３は、圧力制御部１２がカフ１１の圧迫圧力を変化させる過程で上腕部に生じる脈波の大きさに関する脈波情報を圧迫圧力に関連付けて検出する脈波検出部１４に信号線を介して接続されている。すなわち、圧力検出部１３は、圧力センサ（図示せず）及びＡ／Ｄ変換器（図示せず）を有し、圧力センサにより検出したカフ１１の圧迫圧力を、Ａ／Ｄ変換器によりデジタル信号よりなる圧力信号に変換する。そして、圧力検出部１３で変換された圧力信号は脈波検出部１４へ出力される。なお、脈波検出部１４は、フィルタ回路（図示せず）を有するとともに、そのフィルタ回路で圧力検出部１３からの圧力信号から直流成分等、所定の周波数成分を除去することにより脈波信号を生成し、生成された脈波信号から脈波（検出脈波）の振幅値を検出する。
【００２７】
脈波演算部１５は、脈波検出部１４と接続されており、脈波検出部１４から入力した脈波の振幅値に基づき、脈波の振幅を累積加算する。圧力検出部１３及び脈波演算部１５は、脈波記憶部１６と接続されており、それぞれ圧迫圧力と累積加算脈波を出力するようになっている。脈波記憶部１６は、入力した圧迫圧力と累積加算脈波とを対応付けて記憶する。そして、血管硬さ演算部１７は、脈波記憶部１６と接続されており、脈波記憶部１６が記憶している圧迫圧力とその圧迫圧力に対応付けられた累積加算脈波を読み出し、読み出した圧迫圧力及び累積加算脈波に基づき所定のアルゴリズムにより循環動態の１つである上腕動脈の硬さ（以下、「血管の硬さ」とする）を導出する。なお、血管硬さ演算部１７は、被測定者の血管硬さを測定するための測定プログラムや循環動態測定装置１０の各部の駆動を制御するためのプログラム等を記憶するＲＯＭ、プログラムの実行中や実行後に生じるデータを一時的に保管するＲＡＭ、及び、制御プログラム等をＲＯＭから読み出して実行するＣＰＵ等から構成されている。
【００２８】
また、図１に示すように、圧力検出部１３及び脈波検出部１４は、それぞれ血圧演算部１８に信号線を介して接続されている。この血圧演算部１８は、圧力検出部１３により検出される圧迫圧力と、脈波検出部１４により検出される脈波の振幅値との関係からオシロメトリック法などの所定のアルゴリズムを用いて、被測定者の最高血圧及び最低血圧を算出する。そして、表示部１９は、血管硬さ演算部１７と血圧演算部１８に接続されており、血管硬さ演算部１７と血圧演算部１８からそれぞれ血管の硬さ情報と、血圧を入力して表示するようになっている。
【００２９】
次に、本実施形態の循環動態測定装置１０の作用について説明する。
さて、図１に示すように、カフ１１が被測定者の上腕部に巻回し状態に装着された後、圧力制御部１２が排気弁を閉弁した状態で加圧ポンプを駆動すると、カフ１１内には加圧空気が供給される。すると、カフ１１の圧迫圧力が高圧側に変化するため、そのカフ１１によって被測定者の上腕動脈が徐々に圧迫されていく。具体的には、図２に示すように、カフ１１の圧迫圧力が、まず、被測定者の予想される最高血圧よりも高い所定圧力値まで急激に上昇するように、圧力制御部１２がカフ１１の圧迫圧力を変化させる（直線Ｍ１に示す）。
【００３０】
そして、圧力制御部１２は、その所定圧力値から徐々に減っていく微速減圧となるように、圧力制御部１２は排気弁を開弁して圧迫圧力を減圧させ、圧迫圧力を変化させる（直線Ｍ２に示す）。そして、圧力制御部１２は、その微速減圧の過程で、圧迫圧力が被測定者の予想される最低血圧よりも低い所定圧力値に達すると、圧力制御部１２は排気弁を開弁して圧迫圧力を減圧させる。すると、今度はカフ１１の圧迫圧力が低圧側へ急激に変化するため、そのカフ１１による被測定者の上腕動脈に対する圧迫が速やかに解除される。
【００３１】
そして、こうしたカフ１１の圧迫圧力が変化する過程において特にその微速減圧の過程では、心臓の拍動による脈波Ｗ１が生じ、この脈波Ｗ１の振幅値が脈波検出部１４により検出される。この脈波Ｗ１の振幅値と、カフ１１の圧迫圧力の関係性を、図３に示す。図３に示す包絡線Ｌ１のように、カフ１１の圧迫圧力Ｐが変化していくにしたがって、検出される脈波Ｗ１の振幅値Ｘも変化していく。具体的には、カフ１１の圧迫圧力Ｐが低圧側から高圧側になるにしたがって、脈波Ｗ１の振幅値Ｘは、最初のうちは振幅値Ｘ１から振幅値Ｘ２へという具合で小さく上昇し、その後は振幅値Ｘ２から振幅値Ｘ３へという具合で次第に大きく上昇していく。なお、平均血圧での圧迫圧力に相当する所定の圧迫圧力のときに脈波Ｗ１の振幅値Ｘは最大になり、その後、脈波Ｗ１の振幅値Ｘは次第に小さくなっていく。そして、血圧演算部１８は、包絡線Ｌ１において、脈波Ｗ１の振幅値の最大値に対して振幅値が所定の割合の大きさとなるときの高圧側の圧迫圧力（カフ圧力）を最高血圧値ＳＹＳとする一方、低圧側の圧迫圧力（カフ圧力）を最低血圧値ＤＩＡとして算出する。
【００３２】
そして、以上のように検出された脈波Ｗ１の振幅値Ｘは、脈波演算部１５により圧迫圧力の変化に応じて脈波Ｗ１の振幅値が累積加算されて圧迫圧力Ｐに対応付けられて脈波記憶部１６に記憶される。例えば、脈波検出部１４によって、圧迫圧力Ｐ１のときに脈波Ｗ１の振幅値Ｘ１が検出されるとともに、圧迫圧力Ｐ２のときに脈波Ｗ１の振幅値Ｘ２が検出され、圧迫圧力Ｐ３のときに脈波Ｗ１の振幅値Ｘ３が検出されたとする。なお、圧迫圧力Ｐ１＜圧迫圧力Ｐ２＜圧迫圧力Ｐ３の順番で圧迫圧力Ｐ３が一番大きいとする。この場合、図４に示すように、脈波演算部１５により、圧迫圧力Ｐ１のときに累積加算脈波Ｘ１が算出されるとともに、圧迫圧力Ｐ２のときに累積加算脈波Ｘ１＋Ｘ２が算出され、圧迫圧力Ｐ３のときに累積加算脈波Ｘ１＋Ｘ２＋Ｘ３が算出される。このように、脈波演算部１５は、圧迫圧力の変化に応じて低圧から順番に脈波Ｗ１の振幅値を加算していく。そして、脈波演算部１５は、上腕動脈の圧迫開始から圧迫終了までの間、脈波Ｗ１の振幅値を記憶し、記憶した振幅値及び圧迫圧力に基づき、低圧から順番に累積加算脈波を算出する。そして、脈波記憶部１６は、算出した累積加算脈波を、圧迫圧力に対応付けて記憶する。
【００３３】
この累積加算脈波と、それに対応付けられた圧迫圧力は、図５に示すような特性線Ｌ２を示す。すなわち、特性線Ｌ２は、カフ１１の圧迫圧力が変化していくにしたがって、算出される累積加算脈波が増えていく。具体的には、累積加算脈波は、カフ１１の圧迫圧力が低圧から高圧になるにしたがって、始めは小さく上昇するとともに所定の圧迫圧力Ｐｓのときに急激に上昇し、所定の圧迫圧力Ｐｓから圧迫圧力がさらに高圧になるにしたがって、徐々に上昇度合が小さくなっていく。なお、所定の圧迫圧力Ｐｓは、累積加算脈波が最も大きく増加したときの圧迫圧力の値である。
【００３４】
そして、血管硬さ演算部１７は、脈波記憶部１６に記憶された累積加算脈波と圧迫圧力との関係から所定のアルゴリズムにより血管硬さを測定する。具体的には、血管硬さ演算部１７は、血圧測定中に得られる全ての脈波の振幅値を累積加算した累積加算脈波を１００％として、規格化した累積加算脈波比率を圧迫圧力毎に算出する。つまり、血管硬さ演算部１７は、血圧測定中に得られる全ての脈波の振幅値を累積加算した累積加算脈波を１００％とした場合に、各圧迫圧力に対応付けられた累積加算脈波が何％であるかを示す累積加算脈波比率を圧迫圧力毎に算出する。そして、血管硬さ演算部１７は、算出した累積加算脈波比率において、予め決められた累積加算脈波比率の間（例えば２０％〜８０％）に変化する圧迫圧力の幅を特定し、特定した圧迫圧力の幅を血管硬さ指標ＶＳＩとする。このようにした場合、血管硬さ指標ＶＳＩは、血管が軟らかい場合には、その値が小さくなる一方、血管が硬い場合には、その値が大きくなる。例えば、図６には、血管が軟らかい場合の血管硬さ指標ＶＳＩを示し、図７には、血管が硬い場合の血管硬さ指標ＶＳＩを示す。これは、血管硬さ指標ＶＳＩは、血管を潰すのに必要な圧迫圧力の仕事量とみなすことができるためである。つまり、血管が軟らかい場合は、血管を潰すのに必要な圧迫圧力の仕事量は少なく、血管が硬い場合は、血管を潰すのに必要な圧迫圧力の仕事量が多くなるためである。
【００３５】
次に、血圧演算部１８が算出した最高血圧値ＳＹＳと、血管硬さ演算部１７が算出した血管硬さ指標ＶＳＩの表示部１９による表示態様について説明する。
図８に示すように、表示部１９の表示領域は、横軸を最高血圧値ＳＹＳとする一方、縦軸を血管硬さ指標ＶＳＩとするように設定されている。そして、表示部１９の表示領域を左右２等分するように左右方向中央に最高血圧値ＳＹＳの基準値Ｓ１が予め設定されている。また、表示領域を上下２等分にするように上下方向中央に血管硬さ指標ＶＳＩの基準値Ｓ２が予め設定されている。表示部１９は、この表示領域において、血圧演算部１８が算出した最高血圧値ＳＹＳと、血管硬さ演算部１７が算出した血管硬さ指標ＶＳＩにより定められる位置（以下、単に「結果位置」と示す）を示すようになっている。これにより、被測定者は、表示領域のどの位置に、結果位置が表示されたかによって、一目で最高血圧値ＳＹＳと血管硬さ指標ＶＳＩの関係性を認識することができ、どのような状態であるかを認識できる。
【００３６】
すなわち、結果位置が左下の表示領域Ｅ１に位置する場合、被測定者は、最高血圧値ＳＹＳが基準値よりも低く、血管硬さ指標ＶＳＩも基準値から低いことから循環動態判定は最もリスクが低い「リスク１」と判定できるようになっている。従って、被測定者は、正常であることを認識できる。また、結果位置が右下の表示領域Ｅ２に位置する場合、被測定者は、最高血圧値ＳＹＳが基準値よりも高く、血管硬さ指標ＶＳＩが基準値から低いことから循環動態判定は２番目にリスクが低い（３番目にリスクが高い）「リスク２」と判定できるようになっている。従って、被測定者は、血圧値を下げる処置（薬など）が必要であることを認識できる。また、結果位置が左上の表示領域Ｅ３に位置する場合、被測定者は、最高血圧値ＳＹＳが基準値よりも低く、血管硬さ指標ＶＳＩが基準値から高いことから循環動態判定は３番目にリスクが低い（２番目にリスクが高い）「リスク３」と判定できるようになっている。従って、被測定者は、血管を柔らかくする処置（薬など）が必要であることを認識できる。また、結果位置が右上の表示領域Ｅ４に位置する場合、被測定者は、最高血圧値ＳＹＳが基準値よりも高く、血管硬さ指標ＶＳＩも基準値から高いことから循環動態判定は最もリスクが高い「リスク４」と判定できるようになっている。従って、被測定者は、血圧値を下げ、血管を柔らかくする処置（薬など）が必要であることを認識できる。このように、血圧値だけでは正常と判定されていた「リスク３」が認識可能となっている。また、血圧値が同じように高い場合であっても、「リスク２」と「リスク４」に分けられることにより、血管硬さ指標ＶＳＩが正常か否かを認識できるようになっている。また、基準値から離れている値である場合には、基準値から離れるように（すなわち、表示領域の端に）結果位置が表示されるようになっている。
【００３７】
以上詳述したように、本実施形態は、以下の効果を有する。
（１）表示部１９は、横軸を最高血圧値ＳＹＳとする一方、縦軸を血管硬さ指標ＶＳＩとし、最高血圧値ＳＹＳと血管硬さ指標ＶＳＩにより定められる結果位置を表示する。これにより、どの位置に最高血圧値ＳＹＳと血管硬さ指標ＶＳＩにより定められる結果位置が表示されるかにより、被測定者は、一目で最高血圧値ＳＹＳと血管硬さ指標ＶＳＩの関係性を認識することができ、どのような状態であるかを認識できる。
【００３８】
（２）表示部１９は、その表示領域の左右方向中央に沿って最高血圧値ＳＹＳの基準値Ｓ１を示す。また、表示部１９は、その表示領域の上下方向中央に沿って血管硬さ指標ＶＳＩの基準値Ｓ２を示す。これらの基準値Ｓ１，Ｓ２により、表示領域は、４つの領域に分割される。そして、被測定者は、最高血圧値ＳＹＳと血管硬さ指標ＶＳＩにより定められる結果位置がどの領域に位置しているかにより、どのようなリスクがあるかについて容易に判断できる。また、最高血圧値ＳＹＳと血管硬さ指標ＶＳＩにより定められる結果位置が、基準値Ｓ１，Ｓ２からどれだけ離れているかにより、同じ領域（リスク）であってもどれだけ問題があるかについて容易に判断できる。すなわち、同じリスク４に結果位置が表示された場合であっても、基準値Ｓ１，Ｓ２からより離れている場合には、リスクが高いと判断することができ、近い場合には、リスクが低いと判断できる。また、結果位置が最高血圧値ＳＹＳの基準値Ｓ１からの離れている距離で、どれだけ血圧が高いか（或いは低いか）について判断することができる。同様に、結果位置が血管硬さ指標ＶＳＩの基準値Ｓ２からの離れている距離で、血管がどれだけ硬い（或いは軟らかい）かについて判断することができる。
【００３９】
（３）また、上腕から得られた脈波情報に基づいて血管硬さ指標ＶＳＩを算出できることから、家庭用の血圧計に簡単に組み込めることができる。また、最高血圧値ＳＹＳと共に血管硬さ指標ＶＳＩも得ることができることから測定時間を短縮することができる。最高血圧値ＳＹＳと共に血管硬さ指標ＶＳＩも表示されて、どの程度リスクがあるか否かについて表示されることから、従来の血圧測定のみでは見逃されていた動脈硬化疾患を早期に発見することができ、生活習慣病の予防や適切な治療も行うことが可能となる。
【００４０】
（第２実施形態）
以下、本発明を循環動態測定装置に具体化した第２実施形態を説明する。尚、以下に説明する実施形態では、既に説明した第１実施形態と同一構成について同一符号を付すなどして、その重複する説明を省略又は簡略する。
【００４１】
血管硬さ指標ＶＳＩの基準値は、年齢によって異なることが知られている。このため、血管硬さ指標ＶＳＩの基準値が、年代毎に異なるように設定されている。具体的には、４０代の基準値Ｓ４０を上下方向中央に設定した場合、図９に示すように３０代の基準値Ｓ３０及び５０代の基準値Ｓ５０が設定されるようになっている。被測定者は、自分の年齢を考慮した上で、表示領域のどのエリアに結果位置が位置するかを確認することにより、リスクを判定できるようになっている。
【００４２】
以上詳述したように、本実施形態は、以下の効果を有する。
（４）このようにすることにより、被測定者の年齢に応じた正確な循環動態判定を行うことができる。
【００４３】
（第３実施形態）
以下、本発明を循環動態測定装置に具体化した第３実施形態を説明する。尚、以下に説明する実施形態では、既に説明した第１実施形態と同一構成について同一符号を付すなどして、その重複する説明を省略又は簡略する。
【００４４】
本実施形態では、血管硬さ指標ＶＳＩの代わりに血管硬さ指標ＶＳＩを最高血圧値ＳＹＳで除算した血管硬さ指標ＶＳＩ１を使用する。なお、血管硬さ指標ＶＳＩ１は、次の式（Ｖ１）により求められる。
【００４５】
ＶＳＩ１＝ＶＳＩ／ＳＹＳ…（Ｖ１）
そして、表示部１９は、図１０に示すように、表示領域の横軸を最高血圧値ＳＹＳとする一方、縦軸を血管硬さ指標ＶＳＩ１としている。また、縦軸には、血管硬さ指標ＶＳＩ１の基準値Ｓ２が上下方向中央に表示されるようになっている。
【００４６】
以上詳述したように、本実施形態は、以下の効果を有する。
（５）このように、血管硬さ指標ＶＳＩを最高血圧値ＳＹＳにより除算することにより（すなわち、最高血圧値ＳＹＳで補正することにより）算出された血管硬さ指標ＶＳＩ１は、最高血圧値ＳＹＳに依存しない指標とすることができる。従って、血管の硬さの情報をより正確に示すことができる。
【００４７】
（第４実施形態）
以下、本発明を循環動態測定装置に具体化した第４実施形態を説明する。尚、以下に説明する実施形態では、既に説明した第１実施形態と同一構成について同一符号を付すなどして、その重複する説明を省略又は簡略する。
【００４８】
本実施形態では、血管硬さ指標ＶＳＩの代わりに被測定者の身体情報を考慮した血管硬さ指標ＶＳＩ２を使用する。なお、被測定者の身体情報を考慮した血管硬さ指標ＶＳＩ２は、次の式（Ｖ２）により求められる。
【００４９】
ＶＳＩ２＝Ａ×ＶＳＩ／ＳＹＳ＋Ｂ×年齢＋Ｃ×体重＋Ｄ×身長＋Ｅ…（Ｖ２）
ただし、Ａ，Ｂ，Ｃ，Ｄ，Ｅは、所定の定数である。
そして、表示部１９は、図１１に示すように、表示領域の横軸を最高血圧値ＳＹＳとする一方、縦軸を血管硬さ指標ＶＳＩ２としている。また、縦軸には、血管硬さ指標ＶＳＩ２の基準値Ｓ２が上下方向中央に表示されるようになっている。
【００５０】
以上詳述したように、本実施形態は、以下の効果を有する。
（６）このように、血管硬さ指標ＶＳＩを最高血圧値ＳＹＳで補正し、さらに被測定者の年齢、体重、身長などの身体情報で補正している。このため、被測定者の身体情報を考慮した上で、一層正確な血管の硬さ情報を得ることができる。
【００５１】
（第５実施形態）
以下、本発明を循環動態測定装置に具体化した第５実施形態を説明する。尚、以下に説明する実施形態では、既に説明した第１実施形態と同一構成について同一符号を付すなどして、その重複する説明を省略又は簡略する。
【００５２】
本実施形態の表示部１９は、図１２に示すように、その表示領域において、過去の結果位置を表示する。その際、各結果位置には、過去何回前に測定した際の結果位置であるかの情報とともに表示するようになっている。なお、測定日を表示しても良い。また、図１２に示すように、結果位置の測定順を示すように矢印を表示するようになっている。
【００５３】
以上詳述したように、本実施形態は、以下の効果を有する。
（７）このように、表示部１９は、過去の結果位置を何回前にその結果位置について測定したかという情報と共に表示するため、被測定者は、最高血圧値ＳＹＳと血管硬さ指標ＶＳＩに定められる結果位置の経時変化を容易に認識することができ、結果が良くなったか否かについて容易に判断することができる。また、測定順を示す矢印が表示されるため、測定順を容易に認識することができる。
【００５４】
（第６実施形態）
以下、本発明を循環動態測定装置に具体化した第６実施形態を説明する。尚、以下に説明する実施形態では、既に説明した第１実施形態と同一構成について同一符号を付すなどして、その重複する説明を省略又は簡略する。
【００５５】
血管硬さ指標ＶＳＩの基準値は、被測定者の性別、年齢、体重、身長などの身体情報によって異なることが知られている。このため、本実施形態では、被測定者の身体情報を考慮して、血管硬さ指標ＶＳＩを測定することとした。
【００５６】
具体的には、男性用の血管硬さ指標ＶＳＩとして、被測定者の性別、年齢、体重、身長からなる身体情報を考慮した血管硬さ指標ＶＳＩ３を使用する。なお、男性用の血管硬さ指標ＶＳＩ３は、次の式（Ｖ３）により求められる。
【００５７】
ＶＳＩ３＝Ａ１×ＶＳＩ／ＳＹＳ＋Ｂ１×年齢＋Ｃ１×体重＋Ｄ１×身長＋Ｅ１…（Ｖ３）
ただし、Ａ１，Ｂ１，Ｃ１，Ｄ１，Ｅ１は、所定の定数である。
【００５８】
また、女性用の血管硬さ指標ＶＳＩとして、被測定者の性別、年齢、体重、身長からなる身体情報を考慮した血管硬さ指標ＶＳＩ４を使用する。なお、女性用の血管硬さ指標ＶＳＩ４は、次の式（Ｖ４）により求められる。
【００５９】
ＶＳＩ４＝Ａ２×ＶＳＩ／ＳＹＳ＋Ｂ２×年齢＋Ｃ２×体重＋Ｄ２×身長＋Ｅ２…（Ｖ４）
ただし、Ａ２，Ｂ２，Ｃ２，Ｄ２，Ｅ２は、所定の定数である。
【００６０】
そして、表示部１９は、被測定者の性別が男性である場合（男性と入力された場合）には、表示領域の横軸を最高血圧値ＳＹＳとする一方、縦軸を血管硬さ指標ＶＳＩ３とする。また、縦軸には、血管硬さ指標ＶＳＩ３の基準値Ｓ３が上下方向中央に表示されるようになっている。
【００６１】
一方、被測定者の性別が女性である場合（女性と入力された場合）には、表示部１９は、表示領域の横軸を最高血圧値ＳＹＳとする一方、縦軸を血管硬さ指標ＶＳＩ４とする。また、縦軸には、血管硬さ指標ＶＳＩ４の基準値Ｓ４が上下方向中央に表示されるようになっている。
【００６２】
以上詳述したように、本実施形態は、以下の効果を有する。
（８）このように、血管硬さ指標ＶＳＩを最高血圧値ＳＹＳで補正し、さらに被測定者の性別、年齢、体重、身長からなる身体情報により補正している。このため、被測定者の身体情報を考慮した上で、一層正確な血管の硬さ情報を得ることができる。
【００６３】
（第７実施形態）
以下、本発明を循環動態測定装置に具体化した第７実施形態を説明する。尚、以下に説明する実施形態では、既に説明した第１実施形態と同一構成について同一符号を付すなどして、その重複する説明を省略又は簡略する。
【００６４】
本実施形態において、血管硬さ演算部１７は、特性線に基づき、算出した累積加算脈波比率が予め決められた第１の値のときに対応する圧迫圧力の値Ｐ０を特定する。また、血管硬さ演算部１７は、算出した累積加算脈波比率が予め決められた第２の値（第１の値＜第２の値）のときに対応する圧迫圧力の値Ｐ１を特定する。そして、血管硬さ演算部１７は、特定した圧迫圧力の比（Ｐ１／Ｐ０）を算出し、算出した圧迫圧力の比（Ｐ１／Ｐ０）を血管硬さ指標ＶＳＩ５とする。
【００６５】
具体的には、血管硬さ演算部１７は、算出した累積加算脈波比率が２０％（第１の値）のときの圧迫圧力Ｐ０と、算出した累積加算脈波比率が８０％（第２の値）のときの圧迫圧力Ｐ１をそれぞれ特定する。そして、血管硬さ演算部１７は、特定した圧迫圧力の比（Ｐ１／Ｐ０）を、血管硬さ指標ＶＳＩ５とする。
【００６６】
次に、本実施形態における表示部１９の表示態様について説明する。
図１５に示すように、表示部１９は、表示領域の横軸を最高血圧値ＳＹＳとする一方、縦軸を血管硬さ指標ＶＳＩ５とする。また、縦軸には、血管硬さ指標ＶＳＩ５の基準値Ｓ５が上下方向中央に表示される。そして、表示部１９は、入力した最高血圧値ＳＹＳと、血管硬さ指標ＶＳＩ５により定められる結果位置Ｒ１を表示する。
【００６７】
血管硬さ指標ＶＳＩ５を採用した場合の作用について説明する。
図１６（ａ）では、軟らかい血管から得られた特性線Ｌ３を示す。
図１６（ｂ）では、硬い血管から得られた特性線Ｌ４を示す。
【００６８】
特性線Ｌ３と特性線Ｌ４を比較すると、圧迫圧力の比（Ｐ１／Ｐ０）は、軟らかい血管の方が、硬い血管よりも小さくなる。
以上詳述したように、本実施形態は、以下の効果を有する。
【００６９】
（９）血管硬さ指標ＶＳＩ５を求める場合、圧迫圧力の比（Ｐ１／Ｐ０）を測定すればよくなる。このため、血管硬さ指標ＶＳＬを最高血圧値ＳＹＳで除算した血管硬さ指標ＶＳＬ１を算出する場合や、身体情報を考慮した血管硬さ指標ＶＳＩ２〜４を算出する場合と比較して、血管硬さ演算部１７の負担を小さくすることができる。
【００７０】
（第８実施形態）
以下、本発明を循環動態測定装置に具体化した第８実施形態を説明する。尚、以下に説明する実施形態では、既に説明した第１実施形態と同一構成について同一符号を付すなどして、その重複する説明を省略又は簡略する。
【００７１】
本実施形態において、血管硬さ演算部１７は、特性線に基づき、圧迫圧力が予め決められた第１の値のときに、対応付けられた累積加算脈波比率Ｕ０を特定する。また、血管硬さ演算部１７は、圧迫圧力が予め決められた第２の値（第１の値＜第２の値）のときに、対応付けられた累積加算脈波比率Ｕ１を特定する。そして、血管硬さ演算部１７は、特定した累積加算脈波比率の比（Ｕ１／Ｕ０）を算出し、算出した累積加算脈波比率の比（Ｕ１／Ｕ０）を血管硬さ指標ＶＳＩ６とする。
【００７２】
具体的には、血管硬さ演算部１７は、圧迫圧力の値が例えば８０ｍｍＨｇ（第１の値）のときの累積加算脈波比率Ｕ０と、圧迫圧力の値が例えば１２０ｍｍＨｇ（第２の値）のときの累積加算脈波比率Ｕ１をそれぞれ特定する。そして、血管硬さ演算部１７は、特定した累積加算脈波比率の比（Ｕ１／Ｕ０）を、血管硬さ指標ＶＳＩ６とする。
【００７３】
次に、本実施形態における表示部１９の表示態様について説明する。
図１７に示すように、表示部１９は、表示領域の横軸を最高血圧値ＳＹＳとする一方、縦軸を血管硬さ指標ＶＳＩ６とする。また、縦軸には、血管硬さ指標ＶＳＩ６の基準値Ｓ６が上下方向中央に表示される。そして、表示部１９は、入力した最高血圧値ＳＹＳと、血管硬さ指標ＶＳＩ６により定められる結果位置Ｒ２を表示する。
【００７４】
血管硬さ指標ＶＳＩ６を採用した場合の作用について説明する。
図１８（ａ）では、軟らかい血管から得られた特性線Ｌ５を示す。
図１８（ｂ）では、硬い血管から得られた特性線Ｌ６を示す。
【００７５】
特性線Ｌ５と特性線Ｌ６を比較すると、累積加算脈波比率の比（Ｕ１／Ｕ０）、すなわち、血管硬さ指標ＶＳＩ６は、軟らかい血管の方が、硬い血管よりも大きくなる。
以上詳述したように、本実施形態は、以下の効果を有する。
【００７６】
（１０）血管硬さ指標ＶＳＩ６を求める場合、累積加算脈波比率の比（Ｕ１／Ｕ０）を測定すればよくなる。このため、血管硬さ指標ＶＳＬを最高血圧値ＳＹＳで除算した血管硬さ指標ＶＳＬ１を算出する場合や、身体情報を考慮した血管硬さ指標ＶＳＩ２〜４を算出する場合と比較して、血管硬さ演算部１７の負担を小さくすることができる。
【００７７】
（第９実施形態）
以下、本発明を循環動態測定装置に具体化した第９実施形態を説明する。尚、以下に説明する実施形態では、既に説明した第１実施形態と同一構成について同一符号を付すなどして、その重複する説明を省略又は簡略する。
【００７８】
本実施形態において、循環導体測定装置には、最高血圧値ＳＹＳと基準値Ｓ１とを比較して、基準値Ｓ１を超えているか否かを判定する処理と共に、血管硬さ指標ＶＳＩと基準値Ｓ２とを比較して、基準値Ｓ２を超えているか否かを判定する処理を実行する状態判定手段としての状態判定部が備えられている。この状態判定部は、表示部１９に内蔵されており、表示部１９に入力される最高血圧値ＳＹＳと、血管硬さ指標ＶＳＩを入力して、それぞれ判定するようになっている。
【００７９】
そして、状態判定部は、最高血圧値ＳＹＳが基準値Ｓ１を超えているか否かを判定する処理と共に、血管硬さ指標ＶＳＩが基準値Ｓ２を超えているか否かを判定する処理を行うことにより、表示部１９の表示領域Ｅ１〜Ｅ４のうちいずれの領域に結果位置が表示されるか判定する。
【００８０】
より詳しく説明すると、状態判定部は、最高血圧値ＳＹＳ及び血管硬さ指標ＶＳＩがそれぞれ基準値Ｓ１，Ｓ２を超えているという判定結果を導出することが可能となっている。また、状態判定部は、最高血圧値ＳＹＳが基準値Ｓ１を超えており、血管硬さ指標ＶＳＩが基準値Ｓ２を超えていないという判定結果を導出することが可能となっている。また、状態判定部は、最高血圧値ＳＹＳが基準値Ｓ１を超えておらず、血管硬さ指標ＶＳＩが基準値Ｓ２を超えているという判定結果という判定結果を導出することが可能となっている。また、状態判定部は、最高血圧値ＳＹＳが基準値Ｓ１を超えておらず、血管硬さ指標ＶＳＩが基準値Ｓ２を超えていないという判定結果を導出することが可能となっている。そして、状態判定部は、導出した判定結果に応じて、結果位置が表示される表示領域Ｅ１〜Ｅ４を判定（特定）する。
【００８１】
つまり、状態判定部は、最高血圧値ＳＹＳが基準値Ｓ１を超えており、血管硬さ指標ＶＳＩが基準値Ｓ２を超えていると判定した場合には、表示領域Ｅ４に結果位置が表示されると判定する。状態判定部は、最高血圧値ＳＹＳが基準値Ｓ１を超えており、血管硬さ指標ＶＳＩが基準値Ｓ２を超えていないと判定した場合には、表示領域Ｅ２に結果位置が表示されると判定する。状態判定部は、最高血圧値ＳＹＳが基準値Ｓ１を超えておらず、血管硬さ指標ＶＳＩが基準値Ｓ２を超えていると判定した場合には、表示領域Ｅ３に結果位置が表示されると判定する。状態判定部は、最高血圧値ＳＹＳが基準値Ｓ１を超えておらず、血管硬さ指標ＶＳＩが基準値Ｓ２を超えていないと判定した場合には、表示領域Ｅ１に結果位置が表示されると判定する。
【００８２】
そして、表示部１９は、状態判定部の判定結果、すなわち、結果位置が表示される表示領域Ｅ１〜Ｅ４に応じた内容（本実施形態では、文字列からなるメッセージ）の画像を表示する。なお、表示領域Ｅ１〜Ｅ４に応じた内容の画像は、予め決められて記憶されている。また、表示部１９は、画像を表示領域の任意の場所に表示するようになっている。
【００８３】
図１９に基づき、最高血圧値ＳＹＳが基準値Ｓ１を超えていない一方、血管硬さ指標ＶＳＩが基準値Ｓ２を超えている場合の表示態様について具体的に説明する。
図１９において、表示部１９は、最高血圧値ＳＹＳが基準値Ｓ１を超えていない一方、血管硬さ指標ＶＳＩが基準値Ｓ２を超えているため、結果位置Ｒ３を表示領域Ｅ３に表示する。
【００８４】
そして、状態判定部により、結果位置が表示領域Ｅ３に表示されると判定された場合には、表示部１９は、結果位置が表示領域Ｅ３に表示される場合に対応するメッセージ、具体的には「心血管性疾患の隠れリスクの疑い」と表示領域のいずれかに表示する。つまり、動脈硬化、糖尿病、腎臓病など心欠陥性疾患においては、血圧が正常でも血管伸縮性の低下が先に進行している場合がある。従って、「心血管性疾患の隠れリスクの疑い」と表示することで使用者に対してどのような循環動態であるか一層分かり易く認識させるとともに心欠陥性疾患をより早期に発見することができる。
【００８５】
また、状態判定部により、結果位置が表示領域Ｅ４に表示されると判定された場合には、表示部１９は、結果位置が表示領域Ｅ４に表示される場合に対応するメッセージ、具体的には「ハイリスク」と表示する。
【００８６】
なお、メッセージの内容は任意に変更されても良い。
また、図２０に示すように、表示領域Ｅ３に斜線や網掛けを付したり、表示色を変更したりすることにより、表示領域Ｅ３に結果位置が表示された場合に「心血管性疾患の隠れリスクの疑い」があると予め示しておいても良い。この場合には、状態判定部は必ずしも必要としない。
【００８７】
以上詳述したように、本実施形態は、以下の効果を有する。
（１１）状態判定部は、最高血圧値ＳＹＳが基準値Ｓ１を超えているか否かを判定する処理と共に、血管硬さ指標ＶＳＩが基準値Ｓ２を超えているか否かを判定する処理を行う。この処理により、状態判定部は、表示部１９の表示領域Ｅ１〜Ｅ４のうちいずれの領域に結果位置が表示されるか判定する。そして、表示部１９は、状態判定部の判定結果、すなわち、結果位置が表示される表示領域Ｅ１〜Ｅ４に応じた内容（本実施形態では、文字列からなるメッセージ）の画像を表示する。特に、表示領域Ｅ３に表示されると判定した場合には、「心血管性疾患の隠れリスクの疑い」と表示する。これにより、使用者に対してどのような循環動態であるか一層分かり易く認識させるとともに心欠陥性疾患をより早期に発見することができる。
【００８８】
（第１０実施形態）
以下、本発明を循環動態測定装置に具体化した第１０実施形態を説明する。尚、以下に説明する実施形態では、既に説明した第１実施形態と同一構成について同一符号を付すなどして、その重複する説明を省略又は簡略する。
【００８９】
図２１に、本実施形態の循環動態測定装置を示す。循環動態測定装置１０には、血圧、血管硬さ以外の循環動態指標を算出する循環動態指標演算部３０が設けられている。循環動態指標演算部３０が算出する循環動態指標とは、血圧、血圧以外の第１の循環動態指標（本実施形態では血管硬さ指標ＶＳＩ）とはさらに異なる第２の循環動態指標である。
【００９０】
この第２の循環動態指標として、例えばよく知られたフラミンガムスコアが採用されている。フラミンガムスコアとは、年齢、性別、血液中の総コレステロール、ＨＤＬコレステロール、最高血圧、喫煙の有無、糖尿病の有無を用いて算出される指標であり、１０年以内の冠動脈疾患を発症する確率を表わす指標である。
【００９１】
例えば、フラミンガムスコアが１０であれば、１０年以内に冠動脈疾患を発症する確率は、１１％とされ、フラミンガムスコアが１５であれば、１０年以内に冠動脈疾患を発症する確率は、２４％とされる。
【００９２】
本実施形態では、循環動態指標演算部３０に接続された入力部に対して予め検査しておいた検査値（総コレステロールなど）、年齢、性別が入力されるようになっている。また、循環動態指標演算部３０は、血圧演算部１８と接続されており、測定された最高血圧値ＳＹＳが入力されるようになっている。これにより、循環動態指標演算部３０は、入力された検査値、年齢、性別、及び最高血圧値ＳＹＳに基づき、予め記憶された算出プログラムを実行して、フラミンガムスコアを算出する。そして、循環動態指標演算部３０は、算出したフラミンガムスコアを表示部１９に出力する。
【００９３】
表示部１９は、最高血圧値ＳＹＳ及び血管硬さ指標ＶＳＩにより特定される結果位置を表示する際、入力したフラミンガムスコアに応じた表示態様で、結果位置を表示する。
【００９４】
図２２に基づき、結果位置の表示態様について具体的に説明する。
例えば、入力したフラミンガムスコアが１０以下の場合には、結果位置の表示態様を「●」として表示部１９は、結果位置Ｒ１１を表示する。また、入力したフラミンガムスコアが１０〜２０の場合には、結果位置の表示態様を「▲」として表示部１９は、結果位置Ｒ１２を表示する。入力したフラミンガムスコアが２０以上の場合には、結果位置の表示態様を「■」として表示部１９は、結果位置Ｒ１３を表示する。なお、図２２では、結果位置Ｒ１１〜Ｒ１３の表示態様を分かり易く図示するため、結果位置をずらしている。
【００９５】
以上詳述したように、本実施形態は、以下の効果を有する。
（１２）表示部１９は、最高血圧値ＳＹＳ及び血管硬さ指標ＶＳＩにより特定される結果位置を表示する際、入力したフラミンガムスコア（第２の循環動態指標）に応じて、結果位置の表示態様を変更する。このため、結果位置が同じ表示領域に表示された場合であっても、血圧、血管硬さ指標ＶＳＩ以外の第２の循環動態指標により表示態様が変更される。使用者は、表示態様により第２の循環動態指標を容易に理解できるため、疾病リスクの程度をより一層認識できる。例えば、同じようにリスクが高いことを認識できる表示領域Ｅ４に結果位置が表示された場合であっても、その中でもリスクがどの程度高いのかを理解できる。
【００９６】
また、結果位置が表示領域Ｅ３に同じように表示され、心欠陥性疾患の隠れリスクが高いとされた場合であっても、フラミンガムスコアが１０以下であれば、単に加齢の影響で血管が硬くなっていると判定することができる。つまり、より詳しく循環動態の状態を知ることができる。また、表示態様を変更するだけであるので、一目で循環動態の状態を理解できる。
【００９７】
（変形例）
なお、上記実施形態は以下のように変更してもよい。
・上記第２実施形態では、血管硬さ指標ＶＳＩの基準値Ｓ２が、年代毎に異なるように設定されていたが、それ以外の身体情報に基づき血管硬さ指標ＶＳＩの基準値Ｓ２を設定しても良い。例えば、男性と女性とでは、基準値Ｓ２が異なることが知られているため、図１３に示すように、性別毎に基準値Ｓ１１，Ｓ１２を設定しても良い。同様に、体重などの身体情報毎に基準値Ｓ２を異ならせて設定しても良い。また、同様に、最高血圧値ＳＹＳの基準値Ｓ１を身体情報によって異ならせても良い。
【００９８】
・上記第２実施形態では、複数の血管硬さ指標ＶＳＩの基準値が表示されたが、被測定者の身体情報（年齢など）が入力されることにより、表示部１９は、被測定者の身体情報に基づく、基準値のみを表示するようにしても良い。これにより、被測定者は、結果位置がどの領域に位置するか認識しやすくなる。
【００９９】
・上記実施形態では、血管硬さ指標ＶＳＩを、血圧測定中に得られる全ての脈波の振幅値を累積加算した累積加算脈波を１００％として規格化した累積加算脈波比率を用いて算出したが、脈波の振幅値とそのときの圧迫圧力との関係を示す包絡線Ｌ１から血管硬さ指標ＶＳＩを算出しても良い。例えば、図１４に示すように、包絡線Ｌ１の頂点から所定の割合だけ低い位置での圧力幅２６を血管硬さ指標ＶＳＩとしてもよい。なお、図１４（ａ）では、血管が軟らかいときの包絡線Ｌ１を示し、図１４（ｂ）では、血管が硬いときの包絡線Ｌ１を示している。
【０１００】
・上記第３実施形態では、最高血圧値ＳＹＳを使用して血管硬さ指標ＶＳＩを補正したが、最低血圧値ＤＩＡ又は平均血圧値ＭＥＡＮを同様に使用して血管硬さ指標ＶＳＩを補正しても良い。
【０１０１】
・上記実施形態では、最高血圧値ＳＹＳと血管硬さ指標ＶＳＩにより定められる結果位置を表示したが、最低血圧値ＤＩＡと血管硬さ指標ＶＳＩにより定められる結果位置を表示してもよい。同様に。平均血圧値ＭＥＡＮと、血管硬さ指標ＶＳＩにより定められる結果位置を表示してもよい。
【０１０２】
・上記第４実施形態において、式（Ｖ２）には、体重と身長を組み合わせたＢＭＩ（体重／身長２）を用いても良い。
・上記実施形態では、表示部１９は、最高血圧値ＳＹＳと血管硬さ指標ＶＳＩにより定められる結果位置を表示することにより、どのようなリスクがあるかについて被測定者に判断させた。この別例として、最高血圧値ＳＹＳと血管硬さ指標ＶＳＩに基づき、どのようなリスクがあるか判定し、判定結果を表示するようにしても良い。例えば、新たに判定手段としての判定部を設け、判定部は、算出した最高血圧値ＳＹＳと血管硬さ指標ＶＳＩを入力する。そして、判定部は、最高血圧値ＳＹＳの基準値Ｓ１と、算出した最高血圧値ＳＹＳとを比較して、基準値Ｓ１を超えているか否かを判定する。それと共に、判定部は、血管硬さ指標ＶＳＩの基準値Ｓ２と、算出した血管硬さ指標ＶＳＩとを比較して、基準値Ｓ２を超えているか否かを判定する。そして、判定部は、最高血圧値ＳＹＳ及び血管硬さ指標ＶＳＩが共に基準値を超えていないと判定した場合には、リスク１であると判定する。また、判定部は、最高血圧値ＳＹＳが基準値Ｓ１を超えている一方、血管硬さ指標ＶＳＩが基準値Ｓ２を超えていないと判定した場合には、リスク２であると判定する。また、判定部は、最高血圧値ＳＹＳが基準値Ｓ１を超えていない一方、血管硬さ指標ＶＳＩが基準値Ｓ２を超えていると判定した場合には、リスク３であると判定する。また、判定部は、最高血圧値ＳＹＳが基準値Ｓ１を超え、血管硬さ指標ＶＳＩが基準値Ｓ２を超えていると判定した場合には、リスク４であると判定する。そして、表示部１９は、判定部により判定されたリスク１〜４を表示する。これにより、被測定者は、どのようなリスクであるかについて容易に判断することができる。なお、この場合、結果位置を表示領域に表示しなくても良い。
【０１０３】
・上記第５実施形態では、測定順を示す矢印を表示したが表示しなくても良い。
・上記１０実施形態において、表示領域毎の表示態様を変更しても良い。例えば、表示領域Ｅ３の表示態様を他の表示領域Ｅ１，Ｅ２，Ｅ４と異ならせても良い。具体的に説明する。図２３に示すように、表示領域Ｅ３に斜線を付して、表示領域Ｅ３に結果位置が表示された場合に「心血管性疾患の隠れリスクの疑い」があると予め示しておいても良い。
【０１０４】
・上記第１０実施形態では、第２の循環動態指標としてフラミンガムスコアを採用したが、それ以外の指標を採用しても良い。具体的には、ｅＧＦＲ（推定糸球体濾過量）を第２の循環動態指標として採用しても良い。ｅＧＦＲとは、血液中の血清クレアチン、年齢、性別を入力することで算出される。ｅＧＦＲは、慢性腎臓病を表わす指標で、６０ｍｌ／ｍｉｎ／１．７３ｍ２以上が正常値とされている。
【０１０５】
そこで、循環動態指標演算部３０に接続された入力部に対して予め検査しておいた検査値（血液中の血清クレアチン）、年齢、性別を入力することで、循環動態指標演算部３０は、ｅＧＦＲを算出する。
【０１０６】
そして、図２４に示すように、循環動態指標演算部３０が算出したｅＧＦＲが６０以上の場合（例えば８０の場合）には、表示部１９は、最高血圧値ＳＹＳと血管硬さ指標ＶＳＩにより定められる結果位置の表示態様を「●」として結果位置Ｒ２１を示す。また、循環動態指標演算部３０が算出したｅＧＦＲが６０未満の場合（例えば５０の場合）には、表示部１９は、最高血圧値ＳＹＳと血管硬さ指標ＶＳＩにより定められる結果位置の表示態様を「▲」として結果位置Ｒ２２を示す。このように結果位置が共に同じ表示領域Ｅ４であった場合でも、血圧、血管硬さ指標ＶＳＩ以外の第２の循環動態指標に応じて表示態様を変更することにより、疾病のリスクの程度がより一層明らかにすることができる。
【０１０７】
・上記第１０実施形態では、第２の循環動態指標としてフラミンガムスコアを採用したが、それ以外の指標を採用しても良い。具体的には、頸動脈の内膜中膜厚さＩＭＴを採用しても良い。頸動脈の内膜中膜厚さＩＭＴは、超音波断層装置で測定することができる。
【０１０８】
そこで、循環動態指標演算部３０に接続された入力部に対して予め測定しておいた頸動脈の内膜中膜厚さＩＭＴを入力することで、循環動態指標演算部３０は、内膜中膜厚さＩＭＴを取得する。内膜中膜厚さＩＭＴは、早期動脈硬化診断のスタンダード指標でガイドラインでは１．１ｍｍ以上の肥厚は、プラークとしている。
【０１０９】
表示部１９は、最高血圧値ＳＹＳ及び血管硬さ指標ＶＳＩにより特定される結果位置を表示する際、取得した内膜中膜厚さＩＭＴに応じて、結果位置の表示態様を変更する。
図２５に基づき、結果位置の表示態様について具体的に説明する。
【０１１０】
例えば、取得した内膜中膜厚さＩＭＴが１．１ｍｍ未満の場合（例えば、０．６ｍｍの場合）には、結果位置の表示態様を「●」として表示部１９は、結果位置Ｒ３１を表示する。また、取得した内膜中膜厚さＩＭＴが１．１ｍｍ以上である場合（例えば、２．０ｍｍの場合）には、結果位置の表示態様を「▲」として表示部１９は、結果位置Ｒ３２を表示する。このように結果位置が共に同じ表示領域であった場合でも、疾病のリスクの程度がより一層明らかにすることができる。
【０１１１】
・上記第１０実施形態において、第２の循環動態指標として、上述したフラミンガムスコアと、ｅＧＦＲと、頸動脈の内膜中膜厚さＩＭＴを同時に採用しても良い。例えば、フラミンガムスコアを３段階で示し、ｅＧＦＲを２段階で示し、ＩＭＴを２段階で示す場合、１２種類の結果位置の表示態様を用意すればよい。具体的に説明する。フラミンガムスコアが１０以下で、ｅＧＦＲが６０以上で、ＩＭＴが１．１未満である場合には、表示態様を「○」とする。フラミンガムスコアが１０〜２０で、ｅＧＦＲが６０以上で、ＩＭＴが１．１未満である場合には、表示態様を「△」とする。フラミンガムスコアが２０以上で、ｅＧＦＲが６０以上で、ＩＭＴが１．１未満である場合には、表示態様を「□」とする。フラミンガムスコアが１０以下で、ｅＧＦＲが６０未満で、ＩＭＴが１．１未満である場合には、表示態様を「●」とする。フラミンガムスコアが１０〜２０で、ｅＧＦＲが６０未満で、ＩＭＴが１．１未満である場合には、表示態様を「▲」とする。フラミンガムスコアが２０以上で、ｅＧＦＲが６０未満で、ＩＭＴが１．１未満である場合には、表示態様を「■」とする。
【０１１２】
また、フラミンガムスコアが１０以下で、ｅＧＦＲが６０以上で、ＩＭＴが１．１以上である場合には、表示態様を「◇」とする。フラミンガムスコアが１０〜２０で、ｅＧＦＲが６０以上で、ＩＭＴが１．１以上である場合には、表示態様を「▽」とする。フラミンガムスコアが２０以上で、ｅＧＦＲが６０以上で、ＩＭＴが１．１以上である場合には、表示態様を「☆」とする。フラミンガムスコアが１０以下で、ｅＧＦＲが６０未満で、ＩＭＴが１．１以上である場合には、表示態様を「◆」とする。フラミンガムスコアが１０〜２０で、ｅＧＦＲが６０未満で、ＩＭＴが１．１以上である場合には、表示態様を「▼」とする。フラミンガムスコアが２０以上で、ｅＧＦＲが６０未満で、ＩＭＴが１．１以上である場合には、表示態様を「★」とする。
【０１１３】
・上記実施形態において、血管硬さ指標ＶＳＩを次の数式Ｘ１〜Ｘ３０のうちいずれかの式により求められるものに変更しても良い。
なお、以下に示すＰ０は、特性線において、算出した累積加算脈波比率が予め決められた第１の値のときに対応する圧迫圧力の値である。また、Ｐ１は、算出した累積加算脈波比率が予め決められた第２の値（但し、第１の値＜第２の値）のときに対応する圧迫圧力の値である。Ｕ０は、圧迫圧力が予め決められた第３の値のときに、対応付けられた累積加算脈波比率である。Ｕ１は、圧迫圧力が予め決められた第４の値（但し、第３の値＜第４の値）のときに、対応付けられた累積加算脈波比率である。また、ｌｏｇとは対数関数のことである。ｌｎは、定数ｅを底とする対数（自然対数）を返す関数のことである。
【０１１４】
血管硬さ指標ＶＳＩ＝Ｐ０／Ｐ１…数式Ｘ１
血管硬さ指標ＶＳＩ＝Ｕ０／Ｕ１…数式Ｘ２
血管硬さ指標ＶＳＩ＝（Ｐ１／Ｐ０）／（Ｕ１／Ｕ０）…数式Ｘ３
血管硬さ指標ＶＳＩ＝（Ｐ０／Ｐ１）／（Ｕ０／Ｕ１）…数式Ｘ４
血管硬さ指標ＶＳＩ＝（Ｕ１／Ｕ０）／（Ｐ１／Ｐ０）…数式Ｘ５
血管硬さ指標ＶＳＩ＝（Ｕ０／Ｕ１）／（Ｐ０／Ｐ１）…数式Ｘ６
血管硬さ指標ＶＳＩ＝ｌｏｇ（Ｐ１／Ｐ０）…数式Ｘ７
血管硬さ指標ＶＳＩ＝ｌｎ（Ｐ１／Ｐ０）…数式Ｘ８
血管硬さ指標ＶＳＩ＝（Ｐ１／Ｐ０）２…数式Ｘ９
血管硬さ指標ＶＳＩ＝ｌｏｇ（Ｐ０／Ｐ１）…数式Ｘ１０
血管硬さ指標ＶＳＩ＝ｌｎ（Ｐ０／Ｐ１）…数式Ｘ１１
血管硬さ指標ＶＳＩ＝（Ｐ０／Ｐ１）２…数式Ｘ１２
血管硬さ指標ＶＳＩ＝ｌｏｇ（Ｕ１／Ｕ０）…数式Ｘ１３
血管硬さ指標ＶＳＩ＝ｌｎ（Ｕ１／Ｕ０）…数式Ｘ１４
血管硬さ指標ＶＳＩ＝（Ｕ１／Ｕ０）２…数式Ｘ１５
血管硬さ指標ＶＳＩ＝ｌｏｇ（Ｕ０／Ｕ１）…数式Ｘ１６
血管硬さ指標ＶＳＩ＝ｌｎ（Ｕ０／Ｕ１）…数式Ｘ１７
血管硬さ指標ＶＳＩ＝（Ｕ０／Ｕ１）２…数式Ｘ１８
血管硬さ指標ＶＳＩ＝ｌｏｇ｛（Ｐ１／Ｐ０）／（Ｕ１／Ｕ０）｝…数式Ｘ１９
血管硬さ指標ＶＳＩ＝ｌｎ｛（Ｐ１／Ｐ０）／（Ｕ１／Ｕ０）｝…数式Ｘ２０
血管硬さ指標ＶＳＩ＝｛（Ｐ１／Ｐ０）／（Ｕ１／Ｕ０）｝２…数式Ｘ２１
血管硬さ指標ＶＳＩ＝ｌｏｇ｛（Ｐ０／Ｐ１）／（Ｕ０／Ｕ１）｝…数式Ｘ２２
血管硬さ指標ＶＳＩ＝ｌｎ｛（Ｐ０／Ｐ１）／（Ｕ０／Ｕ１）｝…数式Ｘ２３
血管硬さ指標ＶＳＩ＝｛（Ｐ０／Ｐ１）／（Ｕ０／Ｕ１）｝２…数式Ｘ２４
血管硬さ指標ＶＳＩ＝ｌｏｇ｛（Ｕ１／Ｕ０）／（Ｐ１／Ｐ０）｝…数式Ｘ２５
血管硬さ指標ＶＳＩ＝ｌｎ｛（Ｕ１／Ｕ０）／（Ｐ１／Ｐ０）｝…数式Ｘ２６
血管硬さ指標ＶＳＩ＝｛（Ｕ１／Ｕ０）／（Ｐ１／Ｐ０）｝２…数式Ｘ２７
血管硬さ指標ＶＳＩ＝ｌｏｇ｛（Ｕ０／Ｕ１）／（Ｐ０／Ｐ１）｝…数式Ｘ２８
血管硬さ指標ＶＳＩ＝ｌｎ｛（Ｕ０／Ｕ１）／（Ｐ０／Ｐ１）｝…数式Ｘ２９
血管硬さ指標ＶＳＩ＝｛（Ｕ０／Ｕ１）／（Ｐ０／Ｐ１）｝２…数式Ｘ３０
【０１１５】
・上記実施形態では、累積加算脈波比率を算出して血管硬さ指標ＶＳＩを算出するのに利用したが、累積加算脈波比率の代わりに累積加算脈波を利用して血管硬さ指標ＶＳＩを算出しても良い。
累積加算脈波の値は、前述したように、脈波情報（脈波Ｗ１の振幅値Ｘ）を、対応する圧迫圧力の順番に従って累積加算して累積加算脈波の値を求められる。すなわち、圧迫圧力の変化に応じて低圧から順番に脈波Ｗ１の振幅値を加算していき累積加算脈波を圧迫圧力に対応付けて算出する。そして、求めた累積加算脈波の値を、対応する圧迫圧力の順番に従って並べたときの軌跡を示す特性線を特定する。つまり、圧迫圧力が低圧から高圧になるにしたがって並べ、並べられた圧迫圧力に対応する累積加算脈波の値の軌跡を示す特性線を特定する。
【０１１６】
そして、血管硬さ演算部１７が、特性線において、予め決められた第１の圧迫圧力の値に対応する前記累積加算脈波の値と、第１の圧迫圧力値とは異なる第２の圧迫圧力の値に対応する前記累積加算脈波の値との比率に基づき、血管硬さ指標ＶＳＩを算出する。
【０１１７】
なお、血管硬さ演算部１７は、特定した特性線において、予め決められた第１の累積加算脈波の値に対応する圧迫圧力の値と、第１の累積加算脈波の値とは異なる第２の累積加算脈波の値に対応する圧迫圧力の値との比率に基づいても、血管硬さ指標ＶＳＩを算出することができる。
【０１１８】
・上記第７実施形態において、特性線を参照して、累積加算脈波比率が２０％（第１の値）のときに対応する圧迫圧力値をＰ０とし、累積加算脈波比率が８０％（第２の値）のときに対応する圧迫圧力値をＰ１とした。この別例として、第１の値及び第２の値を任意に変更して、Ｐ０，Ｐ１を取得しても良い。但し、第１の値は、第２の値と異なる値であることを条件とする。例えば、第１の値を１０％とし、第２の値を９０％としてもよい。
【０１１９】
・上記第８実施形態において、特性線を参照して、圧迫圧力の値が８０ｍｍＨｇ（第１の値）のときの累積加算脈波比率をＵ０とし、圧迫圧力の値が１２０ｍｍＨｇ（第２の値）のときの累積加算脈波比率をＵ１とした。この別例として、第１の値及び第２の値を任意に変更して、Ｕ０，Ｕ１を取得しても良い。但し、第１の値は、第２の値と異なる値であることを条件とする。例えば、第１の値を７０ｍｍＨｇとし、第２の値を１００ｍｍＨｇとしてもよい。
【０１２２】
（付記１）
被測定者の身体の所定部位を圧迫する圧力印加手段と、
前記圧力印加手段による圧迫圧力を検出する圧力検出手段と、
前記圧力印加手段による圧迫圧力を変化させる圧力制御手段と、
前記圧力制御手段により圧迫圧力を変化させる過程で、前記圧力検出手段により検出される圧迫圧力に基づき前記所定部位に生じる脈波の大きさに関する脈波情報及びそのときの圧迫圧力を対応付けして記憶する記憶手段と、
前記圧迫圧力と、前記圧迫圧力に対応付けられた脈波情報を用いて、最高血圧及び最低血圧のうち少なくとも何れか一方を算出すると共に、血圧以外の循環動態指標を算出する算出手段と、
一方の軸が前記血圧を示し、他方の軸が前記血圧以外の循環動態指標を示す表示領域に、前記血圧と前記血圧以外の循環動態指標とにより定まる位置を表示させる表示手段と、を備えたことを特徴とする循環動態測定装置。
（付記２）
被測定者の身体の所定部位を圧迫する圧力印加手段と、
前記圧力印加手段による圧迫圧力を検出する圧力検出手段と、
前記圧力印加手段による圧迫圧力を変化させる圧力制御手段と、
前記圧力制御手段により圧迫圧力を変化させる過程で、前記圧力検出手段により検出される圧迫圧力に基づき前記所定部位に生じる脈波の大きさに関する脈波情報及びそのときの圧迫圧力を対応付けして記憶する記憶手段と、
前記圧迫圧力と、前記圧迫圧力に対応付けられた脈波情報を用いて、最高血圧及び最低血圧のうち少なくとも何れか一方を算出すると共に、血圧以外の循環動態指標を算出する算出手段と、
前記血圧が血圧の基準値を超えているか否かを判定すると共に前記血圧以外の循環動態指標が前記血圧以外の循環動態指標の基準値を超えているか否かを判定することにより、循環動態の状態を判定する判定手段と、
前記判定手段の判定結果を表示する表示手段と、を備えたことを特徴とする循環動態測定装置。
（付記３）
付記１に記載の循環動態測定装置において、
前記表示手段は、血圧の基準値と、前記血圧以外の循環動態指標の基準値を表示することにより、その表示領域を複数の領域に分割して表示することを特徴とする循環動態測定装置。
（付記４）
付記２または３に記載の循環動態測定装置において、
血圧の基準値及び前記血圧以外の循環動態指標の基準値が、被測定者の身体情報により異なることを特徴とする循環動態測定装置。
（付記５）
付記１〜４のいずれか一項に記載の循環動態測定装置において、
前記表示手段は、現在の測定結果と共に、過去の測定結果も表示することを特徴とする循環動態測定装置。
（付記６）
付記１〜５のいずれか一項に記載の循環動態測定装置において、
前記血圧以外の循環動態指標は少なくとも血管硬さ情報を含むことを特徴とする循環動態測定装置。
（付記７）
付記６に記載の循環動態測定装置において、
前記血管硬さ情報は、前記脈波情報を累積加算した累積加算脈波と、脈波情報と対応付けられた圧迫圧力とで形成される包絡線に基づき算出されることを特徴とする循環動態測定装置。
（付記８）
付記６または７に記載の循環動態測定装置において、
前記血管硬さ情報は血圧により補正された指標であることを特徴とする循環動態測定装置。
（付記９）
付記６〜８のいずれか一項に記載の循環動態測定装置において、
前記算出手段は、前記血管硬さ情報を算出する場合、
脈波情報を、対応する圧迫圧力の順番に従って累積加算して累積加算脈波の値を求め、求めた累積加算脈波の値を、対応する圧迫圧力の順番に従って並べたときの軌跡を示す特性線を特定し、
特定した特性線において、予め決められた第１の圧迫圧力の値に対応する前記累積加算脈波の値と、第１の圧迫圧力値とは異なる第２の圧迫圧力の値に対応する前記累積加算脈波の値との比率と、
特定した特性線において、予め決められた第１の累積加算脈波の値に対応する圧迫圧力の値と、第１の累積加算脈波の値とは異なる第２の累積加算脈波の値に対応する圧迫圧力の値との比率のうち、少なくともいずれか１つの比率に基づき、前記血管硬さ情報を算出することを特徴とする循環動態測定装置。
（付記１０）
付記６〜８のいずれか一項に記載の循環動態測定装置において、
前記算出手段は、前記血管硬さ情報を算出する場合、
脈波情報を対応する圧迫圧力の順番に従って累積加算して求められた累積加算脈波の値を、血圧測定中に取得した全ての脈波情報を累積加算した累積加算脈波の値で除算して累積加算脈波比率を求め、
求めた累積加算脈波比率を、対応する圧迫圧力の順番に従って並べたときの軌跡を示す特性線を特定し、
特定した特性線において、予め決められた第１の圧迫圧力の値に対応する前記累積加算脈波比率と、第１の圧迫圧力の値とは異なる第２の圧迫圧力の値に対応する前記累積加算脈波比率との比率と、
特定した特性線において、予め決められた第１の累積加算脈波比率に対応する圧迫圧力の値と、予め決められた第１の累積加算脈波比率に対応する圧迫圧力の値との比率のうち、少なくともいずれか１つの比率に基づき、前記血管硬さ情報を算出することを特徴とする循環動態測定装置。
（付記１１）
付記６〜１０のいずれか一項に記載の循環動態測定装置において、
前記血管硬さ情報が算出される際、被測定者の身体情報に応じて前記血管硬さ情報の補正が行われることを特徴とする循環動態測定装置。
（付記１２）
付記６〜１１のいずれか一項に記載の循環動態測定装置において、
前記血管硬さ情報が算出される際、性別に応じて前記血管硬さ情報の補正が行われることを特徴とする循環動態測定装置。
（付記１３）
付記１〜１２のいずれか一項に記載の循環動態測定装置において、
算出された前記血圧が血圧の基準値を超えているか否かを判定すると共に、算出された前記血圧以外の循環動態指標が前記血圧以外の循環動態指標の基準値を超えているか否かを判定することにより、循環動態の状態を判定する状態判定手段を備え、
前記表示手段は、前記状態判定手段により判定された循環動態の状態に応じた表示画像を表示させることを特徴とする循環動態測定装置。
（付記１４）
付記１〜１３のいずれか一項に記載の循環動態測定装置において、
前記算出手段は、血圧と、前記脈波情報を用いた血圧以外の第１の循環動態指標のいずれとも異なる第２の循環動態指標を算出し、
前記表示手段は、一方の軸が前記血圧を示し、他方の軸が前記第１の循環動態指標を示す表示領域に、前記血圧と前記第１の循環動態指標とにより定まる位置を表示させ、
前記表示手段は、位置の表示態様を第２の循環動態指標の値に応じて異ならせることを特徴とする循環動態測定装置。
（付記１５）
付記６〜８のいずれか一項に記載の循環動態測定装置において、
前記血管硬さ情報は、被測定者の身体情報のうち１又は複数の情報を変数とし、変数にそれぞれ予め定められた重み付け係数を乗算し、乗算した値を全て加算する演算式にて算出される
ことを特徴とする循環動態測定装置。
（付記１６）
付記６〜８のいずれか一項に記載の循環動態測定装置において、
前記血管硬さ情報は、性別に応じて係数のうち少なくとも一部を異ならせている演算式で算出される
ことを特徴とする循環動態測定装置。
（付記１７）
付記１〜１２のいずれか一項に記載の循環動態測定装置において、
算出された前記血圧が血圧の基準値を超えているか否かを判定すると共に、算出された前記血圧以外の循環動態指標が前記血圧以外の循環動態指標の基準値を超えているか否かを判定することにより、循環動態の状態を判定する状態判定手段を備え、前記表示手段は、少なくとも前記状態判定手段が算出された前記血圧が血圧の基準値を超えておらず、算出された前記血圧以外の循環動態指標が前記血圧以外の循環動態指標の基準値を超えていると判定した場合には、専用の表示画像を表示させる
ことを特徴とする循環動態測定装置。
【符号の説明】
【０１２３】
１０    ：循環動態測定装置
１１    ：カフ（圧力印加手段）
１１ａ  ：チューブ
１１ｂ  ：チューブ
１２    ：圧力制御部（圧力制御手段）
１３    ：圧力検出部（圧力検出手段）
１４    ：脈波検出部
１５    ：脈波演算部
１６    ：脈波記憶部（記憶手段）
１７    ：血管硬さ演算部（算出手段）
１８    ：血圧演算部（算出手段）
１９    ：表示部（表示手段）
２６    ：圧力幅
３０    ：循環動態指標演算部
Ｅ１    ：表示領域
Ｅ２    ：表示領域
Ｅ３    ：表示領域
Ｅ４    ：表示領域
Ｗ１    ：脈波
Ｘ１    ：振幅値
Ｘ２    ：振幅値
Ｘ３    ：振幅値
Ｕ０    ：累積加算脈波比率
Ｕ１    ：累積加算脈波比率
ＰＷＶ  ：脈波伝播速度
ＳＹＳ  ：最高血圧値
ＤＩＡ  ：最低血圧値
ＭＥＡＮ：平均血圧値
ＶＳＬ  ：血管硬さ指標
ＶＳＩ  ：血管硬さ指標
ＶＳＩ１：血管硬さ指標
ＶＳＩ２：血管硬さ指標
ＶＳＩ３：血管硬さ指標
ＶＳＩ４：血管硬さ指標
ＶＳＩ５：血管硬さ指標
ＶＳＩ６：血管硬さ指標
ＶＳＬ１：血管硬さ指標
ＩＭＴ  ：内膜中膜厚さ
Ｌ１    ：包絡線
Ｌ２    ：特性線
Ｌ３    ：特性線
Ｌ４    ：特性線
Ｌ５    ：特性線
Ｌ６    ：特性線
Ｐ      ：圧迫圧力
Ｐ０    ：圧迫圧力
Ｐ１    ：圧迫圧力
Ｐ２    ：圧迫圧力
Ｐ３    ：圧迫圧力
Ｐｓ    ：圧迫圧力
Ｒ１    ：結果位置
Ｒ２    ：結果位置
Ｒ３    ：結果位置
Ｒ１１  ：結果位置
Ｒ１２  ：結果位置
Ｒ１３  ：結果位置
Ｒ２１  ：結果位置
Ｒ２２  ：結果位置
Ｒ３１  ：結果位置
Ｒ３２  ：結果位置
Ｓ１    ：基準値
Ｓ２    ：基準値
Ｓ３    ：基準値
Ｓ４    ：基準値
Ｓ５    ：基準値
Ｓ６    ：基準値
Ｓ１１  ：基準値
Ｓ１２  ：基準値
Ｓ３０  ：基準値
Ｓ４０  ：基準値
Ｓ５０  ：基準値
θ      ：傾斜角度
【図１】
0005842107.tif 000002
【図２】
0005842107.tif 000003
【図３】
0005842107.tif 000004
【図４】
0005842107.tif 000005
【図５】
0005842107.tif 000006
【図６】
0005842107.tif 000007
【図７】
0005842107.tif 000008
【図８】
0005842107.tif 000009
【図９】
0005842107.tif 000010
【図１０】
0005842107.tif 000011
【図１１】
0005842107.tif 000012
【図１２】
0005842107.tif 000013
【図１３】
0005842107.tif 000014
【図１４】
0005842107.tif 000015
【図１５】
0005842107.tif 000016
【図１６】
0005842107.tif 000017
【図１７】
0005842107.tif 000018
【図１８】
0005842107.tif 000019
【図１９】
0005842107.tif 000020
【図２０】
0005842107.tif 000021
【図２１】
0005842107.tif 000022
【図２２】
0005842107.tif 000023
【図２３】
0005842107.tif 000024
【図２４】
0005842107.tif 000025
【図２５】
0005842107.tif 000026